(57)【要約】【課題】トラフィックをより小さく抑えながらもコメント等の付加情報をコンテンツデータに関連付けることを可能にする。【解決手段】画像表示装置側表示部３３に表示しているコンテンツに対する付加情報の入力を受け付ける第１データ受信部３１ａと、上記表示中のコンテンツのコンテンツデータを識別するための識別情報と上記付加情報との関連付けを行う第１コンテンツ付加情報関連付け管理部３６と、第１コンテンツ付加情報関連付け管理部３６で関連付けられた上記識別情報と上記付加情報との関連付けの情報、および上記付加情報をサーバ装置５に送信するコンテンツ付加情報送信部３７とを備えている。【選択図】図１
2008065484.tif 000002
【特許請求の範囲】
【請求項１】
コンテンツデータ送信装置から取得したコンテンツデータを再生し、再生されたコンテンツを表示手段に表示するコンテンツ再生装置であって、
上記表示手段に表示しているコンテンツに対する付加情報の入力を受け付ける第１付加情報取得手段と、
上記表示中のコンテンツのコンテンツデータを識別するための識別情報と上記付加情報との関連付けを行う第１関連付け管理手段と、
上記第１関連付け管理手段で関連付けられた上記識別情報と上記付加情報との関連付けの情報、および上記付加情報を上記コンテンツデータ送信装置に送信する関連付け情報送信手段とを備えていることを特徴とするコンテンツ再生装置。
【請求項２】
前記表示手段に複数のコンテンツが表示されている場合に、どのコンテンツが選択されているのかを検出するコンテンツ選択処理手段をさらに備え、
前記第１付加情報取得手段が、上記コンテンツ選択処理手段で検出したコンテンツに対する付加情報の入力を受け付けるとともに、前記第１関連付け管理手段が、上記コンテンツ選択処理手段で検出したコンテンツのコンテンツデータを識別するための識別情報と上記付加情報との関連付けを行うことを特徴とする請求項１に記載のコンテンツ再生装置。
【請求項３】
前記表示手段に複数のコンテンツが１つの単位としてまとまって表示されている場合に、前記第１付加情報取得手段が、上記表示中の複数のコンテンツ全体のまとまりに対する付加情報の入力を受け付けるとともに、前記第１関連付け管理手段が、上記複数のコンテンツ全体のまとまりのデータを識別するための識別情報と上記付加情報との関連付けを行うことを特徴とする請求項１に記載のコンテンツ再生装置。
【請求項４】
前記第１付加情報取得手段が、付加情報の代わりに付加情報の含まれるコンテンツから付加情報を消去する指示である消去指示情報を取得した場合に、上記第１関連付け管理手段が、前記表示中のコンテンツのコンテンツデータを識別するための識別情報と上記付加情報との関連付けを解消することを特徴とする請求項１〜３のいずれか１項に記載のコンテンツ再生装置。
【請求項５】
コンテンツデータ送信装置から取得したコンテンツデータを再生し、再生されたコンテンツを表示手段に表示するコンテンツ再生装置であって、
上記表示手段に表示しているコンテンツに対する付加情報の入力を受け付ける第１付加情報取得手段と、
上記表示中のコンテンツのコンテンツデータと上記付加情報とに基づいて、上記コンテンツ再生装置で再生するための上記付加情報を含んだコンテンツデータを作成する第１コンテンツデータ作成手段とを備えていることを特徴とするコンテンツ再生装置。
【請求項６】
前記表示手段に複数のコンテンツが表示されている場合に、どのコンテンツが選択されているのかを検出するコンテンツ選択処理手段をさらに備え、
前記第１付加情報取得手段が、上記コンテンツ選択処理手段で検出したコンテンツに対する付加情報の入力を受け付けるとともに、前記第１コンテンツデータ作成手段が、上記コンテンツ選択処理手段で検出したコンテンツのコンテンツデータを識別するための識別情報と上記付加情報とに基づいて、前記コンテンツ再生装置で再生するための上記付加情報を含んだコンテンツデータを作成することを特徴とする請求項５に記載のコンテンツ再生装置。
【請求項７】
前記表示手段に複数のコンテンツが１つの単位としてまとまって表示されている場合に、前記第１付加情報取得手段が、上記表示中の複数のコンテンツ全体のまとまりに対する付加情報の入力を受け付けるとともに、前記第１コンテンツデータ作成手段が、上記複数のコンテンツ全体のまとまりのデータを識別するための識別情報と上記付加情報とに基づいて、前記コンテンツ再生装置で再生するための上記付加情報を含んだコンテンツデータを作成することを特徴とする請求項５に記載のコンテンツ再生装置。
【請求項８】
前記表示中のコンテンツのコンテンツデータを識別するための識別情報と前記付加情報との関連付けを行う第１関連付け管理手段と、
上記第１関連付け管理手段で関連付けられた前記識別情報と前記付加情報との関連付けの情報、および上記付加情報を前記コンテンツデータ送信装置に送信する関連付け情報送信手段とをさらに備えることを特徴とする請求項５〜７のいずれか１項に記載のコンテンツ再生装置。
【請求項９】
前記第１付加情報取得手段が、付加情報の代わりに付加情報の含まれるコンテンツから付加情報を消去する指示である消去指示情報を取得した場合に、上記第１コンテンツデータ作成手段が、前記表示中のコンテンツのコンテンツデータを識別するための識別情報に基づいて、付加情報を含まないコンテンツデータを作成することを特徴とする請求項５〜７のいずれか１項に記載のコンテンツ再生装置。
【請求項１０】
前記第１付加情報取得手段は、前記コンテンツ再生装置の外部にある機器から送信される前記付加情報の入力を受け付けるものであることを特徴とする請求項１〜９のいずれか１項に記載のコンテンツ再生装置。
【請求項１１】
コンテンツデータ送信装置から取得したコンテンツデータを再生し、再生されたコンテンツを表示手段に表示するコンテンツ再生装置であって、
コンテンツデータに対する付加情報と上記コンテンツデータを識別するための識別情報との入力を受け付ける第２付加情報取得手段と、
上記付加情報と上記識別情報との関連付けを行う第２関連付け管理手段と、
上記第２関連付け管理手段で関連付けられた上記識別情報と上記付加情報との関連付けの情報、および上記付加情報を上記コンテンツデータ送信装置に送信する関連付け情報送信手段とを備えていることを特徴とするコンテンツ再生装置。
【請求項１２】
前記第２付加情報取得手段が、上記識別情報とともに、付加情報の代わりに付加情報の含まれるコンテンツから付加情報を消去する指示である消去指示情報を取得した場合に、上記第２関連付け管理手段が、上記識別情報と上記付加情報との関連付けを解消することを特徴とする請求項１１に記載のコンテンツ再生装置。
【請求項１３】
コンテンツデータ送信装置から取得したコンテンツデータを再生し、再生されたコンテンツを表示手段に表示するコンテンツ再生装置であって、
コンテンツデータに対する付加情報と上記コンテンツデータを識別するための識別情報との入力を受け付ける第２付加情報取得手段と、
上記付加情報と上記識別情報とに基づいて、上記コンテンツ再生装置で再生するための上記付加情報を含んだコンテンツデータを作成する第１コンテンツデータ作成手段とを備えていることを特徴とするコンテンツ再生装置。
【請求項１４】
前記コンテンツデータを識別するための識別情報と前記付加情報との関連付けを行う第２関連付け管理手段と、
前記第２関連付け管理手段で関連付けられた前記識別情報と前記付加情報との関連付けの情報、および上記付加情報を前記コンテンツデータ送信装置に送信する関連付け情報送信手段をさらに備えることを特徴とする請求項１３に記載のコンテンツ再生装置。
【請求項１５】
前記第２付加情報取得手段が、上記識別情報とともに、付加情報の代わりに付加情報の含まれるコンテンツから付加情報を消去する指示である消去指示情報を取得した場合に、上記第１コンテンツデータ作成手段が、上記識別情報に基づいて、付加情報を含まないコンテンツデータを作成することを特徴とする請求項１３に記載のコンテンツ再生装置。
【請求項１６】
前記第２付加情報取得手段は、前記コンテンツ再生装置の外部にある機器から送信される前記付加情報と前記識別情報との入力を受け付けるものであることを特徴とする請求項１３〜１５のいずれか１項に記載のコンテンツ再生装置。
【請求項１７】
前記機器は携帯端末であることを特徴とする請求項１０または１６に記載のコンテンツ再生装置。
【請求項１８】
コンテンツ再生装置にコンテンツデータを送信するコンテンツデータ送信装置であって、
上記コンテンツ再生装置から送信されてくるコンテンツデータに対する付加情報、および上記コンテンツデータを識別するための識別情報と上記付加情報との関連付けの情報を受信する関連付け情報受信手段と、
上記付加情報と上記関連付けの情報とに基づいて、上記コンテンツ再生装置で再生するための上記付加情報を含んだコンテンツデータを作成する第２コンテンツデータ作成手段と、
上記付加情報を含んだコンテンツデータを上記コンテンツ再生装置に送信するコンテンツデータ送信手段とを備えていることを特徴とするコンテンツデータ送信装置。
【請求項１９】
請求項１〜１７のいずれか１項に記載のコンテンツ再生装置の備える前記各手段としてコンピュータを動作させる制御プログラム。
【請求項２０】
請求項１８に記載のコンテンツデータ送信装置の備える前記各手段としてコンピュータを動作させる制御プログラム。
【請求項２１】
請求項１９または２０に記載の制御プログラムを記録したコンピュータ読取可能な記録媒体。
【請求項２２】
請求項１〜１７のいずれか１項に記載のコンテンツ再生装置と、
請求項１８に記載のコンテンツデータ送信装置とを備えることを特徴とするコンテンツ再生システム。
【請求項２３】
前記付加情報、または前記付加情報および前記識別情報を前記コンテンツ再生装置に無線で送信可能な携帯端末をさらに備えることを特徴とする請求項２２に記載のコンテンツ再生システム。
【請求項２４】
コンテンツデータ送信装置から取得したコンテンツデータを再生し、再生されたコンテンツを表示手段に表示するコンテンツ再生装置の制御方法であって、
上記コンテンツ再生装置が備える第１付加情報取得手段によって、上記表示手段に表示しているコンテンツに対する付加情報の入力を受け付ける第１付加情報取得工程と、
上記コンテンツ再生装置が備える第１関連付け管理手段によって、上記表示中のコンテンツのコンテンツデータを識別するための識別情報と上記付加情報との関連付けを行う第１関連付け管理工程と、
上記コンテンツ再生装置が備える関連付け情報送信手段によって、上記第１関連付け管理工程で関連付けられた上記識別情報と上記付加情報との関連付けの情報、および上記付加情報を上記コンテンツデータ送信装置に送信する関連付け情報送信工程とを含むことを特徴とする制御方法。
【請求項２５】
コンテンツデータ送信装置から取得したコンテンツデータを再生し、再生されたコンテンツを表示手段に表示するコンテンツ再生装置の制御方法であって、
上記コンテンツ再生装置が備える第１付加情報取得手段によって、上記表示手段に表示しているコンテンツに対する付加情報の入力を受け付ける第１付加情報取得工程と、
上記コンテンツ再生装置が備える第１コンテンツデータ作成手段によって、上記表示中のコンテンツのコンテンツデータと上記付加情報とに基づいて、上記コンテンツ再生装置で再生するための上記付加情報を含んだコンテンツデータを作成する第１コンテンツデータ作成工程とを含むことを特徴とする制御方法。
【請求項２６】
コンテンツデータ送信装置から取得したコンテンツデータを再生し、再生されたコンテンツを表示手段に表示するコンテンツ再生装置の制御方法であって、
上記コンテンツ再生装置が備える第２付加情報取得手段によって、コンテンツデータに対する付加情報と上記コンテンツデータを識別するための識別情報との入力を受け付ける第２付加情報取得工程と、
上記コンテンツ再生装置が備える第２関連付け管理手段によって、上記付加情報と上記識別情報との関連付けを行う第２関連付け管理工程と、
上記コンテンツ再生装置が備える関連付け情報送信手段によって、上記第２関連付け管理工程で関連付けられた上記識別情報と上記付加情報との関連付けの情報、および上記付加情報を上記コンテンツデータ送信装置に送信する関連付け情報送信工程とを含むことを特徴とする制御方法。
【請求項２７】
コンテンツデータ送信装置から取得したコンテンツデータを再生し、再生されたコンテンツを表示手段に表示するコンテンツ再生装置の制御方法であって、
上記コンテンツ再生装置が備える第２付加情報取得手段によって、コンテンツデータに対する付加情報と上記コンテンツデータを識別するための識別情報との入力を受け付ける第２付加情報取得工程と、
上記コンテンツ再生装置が備える第１コンテンツデータ作成手段によって、上記付加情報と上記識別情報とに基づいて、上記コンテンツ再生装置で再生するための上記付加情報を含んだコンテンツデータを作成する第１コンテンツデータ作成工程とを含むことを特徴とする制御方法。
【請求項２８】
コンテンツ再生装置にコンテンツデータを送信するコンテンツデータ送信装置の制御方法であって、
上記コンテンツデータ送信装置が備える関連付け情報受信手段によって、上記コンテンツ再生装置から送信されてくるコンテンツデータに対する付加情報、および上記コンテンツデータを識別するための識別情報と上記付加情報との関連付けの情報を受信する関連付け情報受信工程と、
上記コンテンツデータ送信装置が備える第２コンテンツデータ作成手段によって、上記付加情報と上記関連付けの情報とに基づいて、上記コンテンツ再生装置で再生するための上記付加情報を含んだコンテンツデータを作成する第２コンテンツデータ作成工程と、
上記コンテンツデータ送信装置が備えるコンテンツデータ送信手段によって、上記付加情報を含んだコンテンツデータを上記コンテンツ再生装置に送信するコンテンツデータ送信工程とを含んでいることを特徴とする制御方法。
【発明の詳細な説明】
【技術分野】
【０００１】
本発明は、コンテンツデータ送信装置からコンテンツ再生装置に送信したコンテンツデータに基づいて上記コンテンツ再生装置にコンテンツデータを再生させるとともに、上記コンテンツ再生装置で再生するコンテンツデータに対して付加情報を書き込む技術に関するものである。
【背景技術】
【０００２】
デジタルカメラの普及にともない、写真を画像データとして取り扱うことが広く行われるようになった。これにより、現像された写真を鑑賞するという従来の写真の楽しみ方に加え、画像データとして記録された写真を画像表示装置に表示させて楽しむ、新たな写真の楽しみ方が一般化している。
【０００３】
また、インターネット等のネットワークを利用することにより、遠隔地にあるサーバ装置に蓄積されている写真を画像表示装置に表示することが可能となっている。これにより、例えば、サーバ装置にアップロードされた写真を、複数の画像表示装置に表示させることで、同じ写真を複数のユーザで閲覧することも可能になってきている。
【０００４】
上述のようにして同じ写真を複数のユーザで閲覧することが可能になってくると、同じ写真を複数のユーザで閲覧する以外の楽しみかたも求められるようになってくる。すなわち、当該写真に関連する複数のユーザなどが、個々の写真に対してそれぞれコメント等の付加情報を書き込むことによって、お互いにコミュニケーションを取り合うことのできる手段が必要となってくる。
【０００５】
例えば、各種デジタル写真等の画像一覧を表示するウェブサイトに閲覧者がコメント等の付加情報を書き込む手段としては、当該ウェブサイトに掲示板機能を付加して掲示板に閲覧者がコメントを投稿する方法がある。しかし、上述した方法では、画像一覧の個々の画像に対するコメントを書き込むためには、どの画像に関するコメントであるのかを識別可能なように、掲示板に同時に画像の名前等も書き込む必要がある。従って、画像とコメントとの対応が判りづらいといった問題点があった。
【０００６】
そこで、画像と関連付けたコメントを書き込み可能にする手段として、特許文献１には、ウェブサイトに表示する画像の１つ１つにコメント記入領域を設けたウェブページのデータをサーバ装置側で作成してウェブサイトに画像一覧とコメント記入領域とを表示させ、上記コメント記入領域にユーザからコメントを入力してもらうことによって、画像とコメントとを関連づけるウェブアプリケーションシステムが開示されている。
【特許文献１】特開２００６−９２０４１号公報（平成１８年４月６日公開）
【発明の開示】
【発明が解決しようとする課題】
【０００７】
しかしながら、特許文献１のウェブアプリケーションシステムでは、ウェブサイトに表示する画像等のコンテンツデータに対してコメント等の付加情報を関連付けてサーバ装置側に送る場合に、まずサーバ装置側でコメント記入領域を設けたウェブページのデータを作成してウェブサイトに表示させる必要がある。すなわち、サーバ装置側とウェブサイト側（つまり画像表示装置側）との双方で画像等のコンテンツデータに関連付けたいコメント等の付加情報の入力をネゴシエーションする必要がある。従って、通信回線あるいは通信網全体において転送されるデータ量（トラフィック）が大きくなるという問題点を有している。また、トラフィックが大きくなることによってデータ送受信の速度が低下する問題が生じる可能性もある。
【０００８】
本発明は、上記従来の問題点に鑑みなされたものであって、その目的は、トラフィックをより小さく抑えながらもコメント等の付加情報をコンテンツデータに関連付けることを可能にするコンテンツ再生装置、コンテンツデータ送信装置、その制御プログラムおよび該制御プログラムを記録したコンピュータ読取り可能な記録媒体、コンテンツ再生システムならびに制御方法を提供することにある。
【課題を解決するための手段】
【０００９】
本発明のコンテンツ再生装置は、上記課題を解決するために、コンテンツデータ送信装置から取得したコンテンツデータを再生し、再生されたコンテンツを表示手段に表示するコンテンツ再生装置であって、上記表示手段に表示しているコンテンツに対する付加情報の入力を受け付ける第１付加情報取得手段と、上記表示中のコンテンツのコンテンツデータを識別するための識別情報と上記付加情報との関連付けを行う第１関連付け管理手段と、上記第１関連付け管理手段で関連付けられた上記識別情報と上記付加情報との関連付けの情報、および上記付加情報を上記コンテンツデータ送信装置に送信する関連付け情報送信手段とを備えていることを特徴としている。
【００１０】
また、本発明の制御方法は、上記課題を解決するために、コンテンツデータ送信装置から取得したコンテンツデータを再生し、再生されたコンテンツを表示手段に表示するコンテンツ再生装置の制御方法であって、上記コンテンツ再生装置が備える第１付加情報取得手段によって、上記表示手段に表示しているコンテンツに対する付加情報の入力を受け付ける第１付加情報取得工程と、上記コンテンツ再生装置が備える第１関連付け管理手段によって、上記表示中のコンテンツのコンテンツデータを識別するための識別情報と上記付加情報との関連付けを行う第１関連付け管理工程と、上記コンテンツ再生装置が備える関連付け情報送信手段によって、上記第１関連付け管理工程で関連付けられた上記識別情報と上記付加情報との関連付けの情報、および上記付加情報を上記コンテンツデータ送信装置に送信する関連付け情報送信工程とを含むことを特徴としている。
【００１１】
上記の発明によれば、表示手段に表示しているコンテンツに対する付加情報の入力を第１付加情報取得手段で受け付け、第１関連付け管理手段によって表示中のコンテンツのコンテンツデータを識別するための識別情報と上記付加情報との関連付けを行うので、コンテンツデータ送信装置から何らかのデータを取得しなくても、コンテンツ再生装置中で識別情報と付加情報との関連付けを行うことが可能になる。そして、第１関連付け管理手段で関連付けられた上記識別情報と上記付加情報との関連付けの情報、および上記付加情報を上記コンテンツデータ送信装置に送信する関連付け情報送信手段を備えているので、上記関連付けの情報と上記付加情報とに基づいて、コンテンツデータ送信装置に付加情報を含むコンテンツデータを作成させることも可能になる。よって、付加情報を含むコンテンツデータをコンテンツデータ送信装置から受け取ってコンテンツ再生装置で付加情報を含むコンテンツを再生することも可能になる。その結果、トラフィックをより小さく抑えながらもコメント等の付加情報をコンテンツデータに関連付けることを可能にする。
【００１２】
また、本発明のコンテンツ再生装置では、前記表示手段に複数のコンテンツが表示されている場合に、どのコンテンツが選択されているのかを検出するコンテンツ選択処理手段をさらに備え、前記第１付加情報取得手段が、上記コンテンツ選択処理手段で検出したコンテンツに対する付加情報の入力を受け付けるとともに、前記第１関連付け管理手段が、上記コンテンツ選択処理手段で検出したコンテンツのコンテンツデータを識別するための識別情報と上記付加情報との関連付けを行うことが好ましい。
【００１３】
これにより、コンテンツ選択手段によって表示手段に表示されている複数のコンテンツのうちの、どのコンテンツが選択されたのかを検出して、第１付加情報取得手段で取得した付加情報を、選択されたコンテンツのコンテンツデータの識別情報に第１関連付け管理手段で関連付けることが可能になる。従って、コンテンツ再生装置で得た付加情報と識別情報とをもとにして、付加情報を含む選択されたコンテンツのコンテンツデータをコンテンツデータ送信装置で作成させることも可能になる。
【００１４】
また、本発明のコンテンツ再生装置は、前記表示手段に複数のコンテンツが１つの単位としてまとまって表示されている場合に、前記第１付加情報取得手段が、上記表示中の複数のコンテンツ全体のまとまりに対する付加情報の入力を受け付けるとともに、前記第１関連付け管理手段が、上記複数のコンテンツ全体のまとまりのデータを識別するための識別情報と上記付加情報との関連付けを行うことが好ましい。
【００１５】
これにより、表示手段に表示中の複数のコンテンツ全体のまとまりに対する付加情報の入力を第１付加情報取得手段で受け付け、複数のコンテンツ全体のまとまりのデータを識別するための識別情報と上記付加情報との関連付けを第１関連付け管理手段で行うので、複数のコンテンツ全体のまとまりに付加情報を関連付けることが可能になる。
【００１６】
また、本発明のコンテンツ再生装置は、前記第１付加情報取得手段が、付加情報の代わりに付加情報の含まれるコンテンツから付加情報を消去する指示である消去指示情報を取得した場合に、上記第１関連付け管理手段が、前記表示中のコンテンツのコンテンツデータを識別するための識別情報と上記付加情報との関連付けを解消することが好ましい。
【００１７】
これにより、第１付加情報取得手段が消去指示情報を取得した場合に、第１関連付け管理手段が、表示中のコンテンツのコンテンツデータを識別するための識別情報と上記付加情報との関連付けを解消するので、コンテンツデータ送信装置で付加情報を含まないコンテンツデータが作成されてコンテンツ再生装置に送られ、コンテンツ再生装置で付加情報を含まないコンテンツを再生することになる。つまり、付加情報を含むコンテンツから付加情報を消去することが可能になる。
【００１８】
本発明のコンテンツ再生装置は、上記課題を解決するために、コンテンツデータ送信装置から取得したコンテンツデータを再生し、再生されたコンテンツを表示手段に表示するコンテンツ再生装置であって、上記表示手段に表示しているコンテンツに対する付加情報の入力を受け付ける第１付加情報取得手段と、上記表示中のコンテンツのコンテンツデータと上記付加情報とに基づいて、上記コンテンツ再生装置で再生するための上記付加情報を含んだコンテンツデータを作成する第１コンテンツデータ作成手段とを備えていることを特徴としている。
【００１９】
また、本発明の制御方法は、上記課題を解決するために、コンテンツデータ送信装置から取得したコンテンツデータを再生し、再生されたコンテンツを表示手段に表示するコンテンツ再生装置の制御方法であって、上記コンテンツ再生装置が備える第１付加情報取得手段によって、上記表示手段に表示しているコンテンツに対する付加情報の入力を受け付ける第１付加情報取得工程と、上記コンテンツ再生装置が備える第１コンテンツデータ作成手段によって、上記表示中のコンテンツのコンテンツデータと上記付加情報とに基づいて、上記コンテンツ再生装置で再生するための上記付加情報を含んだコンテンツデータを作成する第１コンテンツデータ作成工程とを含むことを特徴としている。
【００２０】
上記の発明によれば、表示手段に表示しているコンテンツに対する付加情報の入力を第１付加情報取得手段で受け付け、第１コンテンツデータ作成手段によって表示中のコンテンツのコンテンツデータを識別するための識別情報と上記付加情報とに基づいて、付加情報を含むコンテンツデータの作成を行うので、コンテンツデータ送信装置から何らかのデータを取得しなくても、コンテンツ再生装置中で識別情報と付加情報とに基づいて、付加情報を含むコンテンツデータ作成を行うことが可能になる。その結果、トラフィックをより小さく抑えながらもコメント等の付加情報をコンテンツデータに関連付けることを可能にする。
【００２１】
また、本発明のコンテンツ再生装置では、前記表示手段に複数のコンテンツが表示されている場合に、どのコンテンツが選択されているのかを検出するコンテンツ選択処理手段をさらに備え、前記第１付加情報取得手段が、上記コンテンツ選択処理手段で検出したコンテンツに対する付加情報の入力を受け付けるとともに、前記第１コンテンツデータ作成手段が、上記コンテンツ選択処理手段で検出したコンテンツのコンテンツデータを識別するための識別情報と上記付加情報とに基づいて、前記コンテンツ再生装置で再生するための上記付加情報を含んだコンテンツデータを作成するが好ましい。
【００２２】
これにより、コンテンツ選択手段によって表示手段に表示されている複数のコンテンツのうちの、どのコンテンツが選択されたのかを検出して、第１付加情報取得手段で取得した付加情報と、上記コンテンツ選択処理手段で検出したコンテンツのコンテンツデータを識別するための識別情報とに基づいて、付加情報を含むコンテンツデータを作成することが可能になる。
【００２３】
また、本発明のコンテンツ再生装置では、前記表示手段に複数のコンテンツが１つの単位としてまとまって表示されている場合に、前記第１付加情報取得手段が、上記表示中の複数のコンテンツ全体のまとまりに対する付加情報の入力を受け付けるとともに、前記第１コンテンツデータ作成手段が、上記複数のコンテンツ全体のまとまりのデータを識別するための識別情報と上記付加情報とに基づいて、前記コンテンツ再生装置で再生するための上記付加情報を含んだコンテンツデータを作成することが好ましい。
【００２４】
これにより、表示手段に表示中の複数のコンテンツ全体のまとまりに対する付加情報の入力を第１付加情報取得手段で受け付け、第１コンテンツデータ作成手段によって、複数のコンテンツ全体のまとまりのデータを識別するための識別情報と上記付加情報とに基づいて付加情報を含むコンテンツデータの作成を行うので、複数のコンテンツ全体のまとまりに対して付加情報を含ませることが可能になる。
【００２５】
また、本発明のコンテンツ再生装置では、前記表示中のコンテンツのコンテンツデータを識別するための識別情報と前記付加情報との関連付けを行う第１関連付け管理手段と、上記第１関連付け管理手段で関連付けられた前記識別情報と前記付加情報との関連付けの情報、および上記付加情報を前記コンテンツデータ送信装置に送信する関連付け情報送信手段とをさらに備えることが好ましい。
【００２６】
これにより、第１関連付け管理手段で識別情報と付加情報との関連付けを行い、関連付け情報送信手段でコンテンツデータ送信装置に関連付けの情報と付加情報とを送ることが可能になるので、コンテンツデータ送信装置で付加情報を含むコンテンツデータを作成させることも可能になる。よって、コンテンツデータ送信装置から付加情報を含むコンテンツデータを受け取ってコンテンツ再生装置で付加情報を含むコンテンツを再生することも可能になる。
【００２７】
また、本発明のコンテンツ再生装置では、前記第１付加情報取得手段が、付加情報の代わりに付加情報の含まれるコンテンツから付加情報を消去する指示である消去指示情報を取得した場合に、上記第１コンテンツデータ作成手段が、前記表示中のコンテンツのコンテンツデータを識別するための識別情報に基づいて、付加情報を含まないコンテンツデータを作成することが好ましい。
【００２８】
これにより、第１付加情報取得手段が消去指示情報を取得した場合に、第１コンテンツデータ作成手段が、表示中のコンテンツのコンテンツデータを識別するための識別情報に基づいて、付加情報を含まないコンテンツデータを作成するので、付加情報を含むコンテンツから付加情報を消去することが可能になる。
【００２９】
また、本発明のコンテンツ再生装置では、前記第１付加情報取得手段は、前記コンテンツ再生装置の外部にある機器から送信される前記付加情報の入力を受け付けるものであることが好ましい。
【００３０】
これにより、第１付加情報取得手段がコンテンツ再生装置の外部にある機器から送信される付加情報の入力を受け付けることが可能になるので、コンテンツ再生装置中にデータを持たない場合でも、コンテンツ再生装置中にないデータを上記外部にある機器から得て利用することが可能になる。
【００３１】
本発明のコンテンツ再生装置は、上記課題を解決するために、コンテンツデータ送信装置から取得したコンテンツデータを再生し、再生されたコンテンツを表示手段に表示するコンテンツ再生装置であって、コンテンツデータに対する付加情報と上記コンテンツデータを識別するための識別情報との入力を受け付ける第２付加情報取得手段と、上記付加情報と上記識別情報との関連付けを行う第２関連付け管理手段と、上記第２関連付け管理手段で関連付けられた上記識別情報と上記付加情報との関連付けの情報、および上記付加情報を上記コンテンツデータ送信装置に送信する関連付け情報送信手段とを備えていることを特徴としている。
【００３２】
また、本発明の制御方法は、上記課題を解決するために、コンテンツデータ送信装置から取得したコンテンツデータを再生し、再生されたコンテンツを表示手段に表示するコンテンツ再生装置の制御方法であって、上記コンテンツ再生装置が備える第２付加情報取得手段によって、コンテンツデータに対する付加情報と上記コンテンツデータを識別するための識別情報との入力を受け付ける第２付加情報取得工程と、上記コンテンツ再生装置が備える第２関連付け管理手段によって、上記付加情報と上記識別情報との関連付けを行う第２関連付け管理工程と、上記コンテンツ再生装置が備える関連付け情報送信手段によって、上記第２関連付け管理工程で関連付けられた上記識別情報と上記付加情報との関連付けの情報、および上記付加情報を上記コンテンツデータ送信装置に送信する関連付け情報送信工程とを含むことを特徴としている。
【００３３】
上記の発明によれば、コンテンツデータに対する付加情報と上記コンテンツデータを識別するための識別情報との入力を第２付加情報取得手段で受け付け、第２関連付け管理手段によって上記識別情報と上記付加情報との関連付けを行うので、コンテンツデータ送信装置から何らかのデータを取得しなくても、コンテンツ再生装置中で識別情報と付加情報との関連付けを行うことが可能になる。そして、第２関連付け管理手段で関連付けられた上記識別情報と上記付加情報との関連付けの情報、および上記付加情報を上記コンテンツデータ送信装置に送信する関連付け情報送信手段を備えているので、上記関連付けの情報と上記付加情報とに基づいて、コンテンツデータ送信装置に付加情報を含むコンテンツデータを作成させることも可能になる。よって、付加情報を含むコンテンツデータをコンテンツデータ送信装置から受け取ってコンテンツ再生装置で付加情報を含むコンテンツを再生することも可能になる。その結果、トラフィックをより小さく抑えながらもコメント等の付加情報をコンテンツデータに関連付けることを可能にする。
【００３４】
また、本発明のコンテンツ再生装置では、前記第２付加情報取得手段が、上記識別情報とともに、付加情報の代わりに付加情報の含まれるコンテンツから付加情報を消去する指示である消去指示情報を取得した場合に、上記第２関連付け管理手段が、上記識別情報と上記付加情報との関連付けを解消することが好ましい。
【００３５】
これにより、第２付加情報取得手段が、識別情報とともに消去指示情報を取得した場合に、第２関連付け管理手段が、上記識別情報と上記付加情報との関連付けを解消するので、コンテンツデータ送信装置で付加情報を含まないコンテンツデータが作成されてコンテンツ再生装置に送られ、コンテンツ再生装置で付加情報を含まないコンテンツを再生することになる。つまり、付加情報を含むコンテンツから付加情報を消去することが可能になる。
【００３６】
本発明のコンテンツ再生装置は、上記課題を解決するために、コンテンツデータ送信装置から取得したコンテンツデータを再生し、再生されたコンテンツを表示手段に表示するコンテンツ再生装置であって、コンテンツデータに対する付加情報と上記コンテンツデータを識別するための識別情報との入力を受け付ける第２付加情報取得手段と、上記付加情報と上記識別情報とに基づいて、上記コンテンツ再生装置で再生するための上記付加情報を含んだコンテンツデータを作成する第１コンテンツデータ作成手段とを備えていることを特徴としている。
【００３７】
また、本発明の制御方法は、上記課題を解決するために、コンテンツデータ送信装置から取得したコンテンツデータを再生し、再生されたコンテンツを表示手段に表示するコンテンツ再生装置の制御方法であって、上記コンテンツ再生装置が備える第２付加情報取得手段によって、コンテンツデータに対する付加情報と上記コンテンツデータを識別するための識別情報との入力を受け付ける第２付加情報取得工程と、上記コンテンツ再生装置が備える第１コンテンツデータ作成手段によって、上記付加情報と上記識別情報とに基づいて、上記コンテンツ再生装置で再生するための上記付加情報を含んだコンテンツデータを作成する第１コンテンツデータ作成工程とを含むことを特徴としている。
【００３８】
上記の発明によれば、コンテンツデータに対する付加情報と上記コンテンツデータを識別するための識別情報との入力を第２付加情報取得手段で受け付け、第１コンテンツデータ作成手段によって表示中のコンテンツのコンテンツデータを識別するための識別情報と上記付加情報とに基づいて、付加情報を含むコンテンツデータの作成を行うので、コンテンツデータ送信装置から何らかのデータを取得しなくても、コンテンツ再生装置中で識別情報と付加情報とに基づいて、付加情報を含むコンテンツデータ作成を行うことが可能になる。その結果、トラフィックをより小さく抑えながらもコメント等の付加情報をコンテンツデータに関連付けることを可能にする。
【００３９】
また、本発明のコンテンツ再生装置では、前記コンテンツデータを識別するための識別情報と前記付加情報との関連付けを行う第２関連付け管理手段と、前記第２関連付け管理手段で関連付けられた前記識別情報と前記付加情報との関連付けの情報、および上記付加情報を前記コンテンツデータ送信装置に送信する関連付け情報送信手段をさらに備えることが好ましい。
【００４０】
これにより、第２関連付け管理手段で識別情報と付加情報との関連付けを行い、関連付け情報送信手段でコンテンツデータ送信装置に関連付けの情報と付加情報とを送ることが可能になるので、コンテンツデータ送信装置で付加情報を含むコンテンツデータを作成させることも可能になる。よって、コンテンツデータ送信装置から付加情報を含むコンテンツデータを受け取ってコンテンツ再生装置で付加情報を含むコンテンツを再生することも可能になる。
【００４１】
また、本発明のコンテンツ再生装置では、前記第２付加情報取得手段が、上記識別情報とともに、付加情報の代わりに付加情報の含まれるコンテンツから付加情報を消去する指示である消去指示情報を取得した場合に、上記第１コンテンツデータ作成手段が、上記識別情報に基づいて、付加情報を含まないコンテンツデータを作成することが好ましい。
【００４２】
これにより、第２付加情報取得手段が、識別情報とともに消去指示情報を取得した場合に、第１コンテンツデータ作成手段が、上記識別情報に基づいて、付加情報を含まないコンテンツデータを作成するので、付加情報を含むコンテンツから付加情報を消去することが可能になる。
【００４３】
また、本発明のコンテンツ再生装置では、前記第２付加情報取得手段は、前記コンテンツ再生装置の外部にある機器から送信される前記付加情報と前記識別情報との入力を受け付けるものであることが好ましい。
【００４４】
これにより、第２付加情報取得手段がコンテンツ再生装置の外部にある機器から送信される付加情報の入力を受け付けることが可能になるので、コンテンツ再生装置中にデータを持たない場合でも、コンテンツ再生装置中にないデータを上記外部にある機器から得て利用することが可能になる。
【００４５】
また、本発明のコンテンツ再生装置では、前記機器は携帯端末であることが好ましい。
【００４６】
これにより、コンテンツ再生装置が携帯端末からデータを得て利用することが可能になる。
【００４７】
本発明のコンテンツデータ送信装置は、上記課題を解決するために、コンテンツ再生装置にコンテンツデータを送信するコンテンツデータ送信装置であって、上記コンテンツ再生装置から送信されてくるコンテンツデータに対する付加情報、および上記コンテンツデータを識別するための識別情報と上記付加情報との関連付けの情報を受信する関連付け情報受信手段と、上記付加情報と上記関連付けの情報とに基づいて、上記コンテンツ再生装置で再生するための上記付加情報を含んだコンテンツデータを作成する第２コンテンツデータ作成手段と、上記付加情報を含んだコンテンツデータを上記コンテンツ再生装置に送信するコンテンツデータ送信手段とを備えていることを特徴としている。
【００４８】
また、本発明の制御方法は、上記課題を解決するために、コンテンツ再生装置にコンテンツデータを送信するコンテンツデータ送信装置の制御方法であって、上記コンテンツデータ送信装置が備える関連付け情報受信手段によって、上記コンテンツ再生装置から送信されてくるコンテンツデータに対する付加情報、および上記コンテンツデータを識別するための識別情報と上記付加情報との関連付けの情報を受信する関連付け情報受信工程と、上記コンテンツデータ送信装置が備える第２コンテンツデータ作成手段によって、上記付加情報と上記関連付けの情報とに基づいて、上記コンテンツ再生装置で再生するための上記付加情報を含んだコンテンツデータを作成する第２コンテンツデータ作成工程と、上記コンテンツデータ送信装置が備えるコンテンツデータ送信手段によって、上記付加情報を含んだコンテンツデータを上記コンテンツ再生装置に送信するコンテンツデータ送信工程とを含んでいることを特徴としている。
【００４９】
上記の発明によれば、コンテンツ再生装置から送信されてくるコンテンツデータに対する付加情報、および上記コンテンツデータを識別するための識別情報と上記付加情報との関連付けの情報を関連付け情報受信手段で受信し、上記付加情報と上記関連付けの情報とに基づいて、付加情報を含んだコンテンツデータを第２コンテンツデータ作成手段によって作成するので、コンテンツデータ送信装置から何らかのデータを送信することによって、コンテンツ再生装置中で識別情報と付加情報との関連付けを行う必要がない。そして、コンテンツデータ送信手段によって、付加情報を含んだコンテンツデータをコンテンツ再生装置に送信するので、コンテンツ再生装置で付加情報を含むコンテンツを再生することも可能になる。その結果、トラフィックをより小さく抑えながらもコメント等の付加情報をコンテンツデータに関連付けることを可能にする。
【００５０】
ところで、上記コンテンツ再生装置および上記コンテンツデータ送信装置は、ハードウェアで実現してもよいし、プログラムをコンピュータに実行させることによって実現してもよい。具体的には、本発明に係る制御プログラムは、コンテンツ再生装置またはコンテンツデータ送信装置としてコンピュータを動作させるプログラムであり、本発明に係る記録媒体には、当該プログラムが記録されている。
【００５１】
これらの制御プログラムがコンピュータによって実行されると、当該コンピュータは、コンテンツ再生装置またはコンテンツデータ送信装置として動作する。従って、上記コンテンツ再生装置または上記コンテンツデータ送信装置と同様に、トラフィックをより小さく抑えながらもコメント等の付加情報をコンテンツデータに関連付けることが可能になる。
【００５２】
本発明のコンテンツ再生システムは、上記課題を解決するために、前記のいずれかのコンテンツ再生装置と、前記のコンテンツデータ送信装置とを備えることを特徴としている。
【００５３】
上記の発明によれば、トラフィックをより小さく抑えながらもコメント等の付加情報をコンテンツデータに関連付けることが可能になる。
【００５４】
また、本発明のコンテンツ再生システムでは、前記付加情報、または前記付加情報および前記識別情報を前記コンテンツ再生装置に無線で送信可能な携帯端末をさらに備えることが好ましい。
【００５５】
これにより、コンテンツ再生装置が、付加情報または付加情報および識別情報を携帯端末から無線で受け取ることが可能になるので、コンテンツ再生装置中にデータを持たない場合でも、コンテンツ再生装置中にないデータを上記携帯端末から無線で得て利用することが可能になる。
【発明の効果】
【００５６】
本発明によれば、コンテンツデータ送信装置から何らかのデータを取得しなくても、コンテンツ再生装置中で識別情報と付加情報との関連付けを行うことが可能になる。また、コンテンツデータ送信装置から何らかのデータを取得しなくても、コンテンツ再生装置中で識別情報と付加情報とに基づいて、付加情報を含むコンテンツデータ作成を行うことが可能になる。したがって、トラフィックをより小さく抑えながらもコメント等の付加情報をコンテンツデータに関連付けることを可能にするという効果を奏する。
【発明を実施するための最良の形態】
【００５７】
〔実施の形態１〕
本発明の一実施形態について図１ないし図１２（ｂ）に基づいて説明すれば、以下の通りである。なお、以下の説明に用いる図面は、同一の部材または同一の機能のものについては同一の符号を付してある。従って、それらについての詳細な説明は繰り返さない。
【００５８】
最初に、図２を用いてコンテンツ再生システム１ａの構成の概要について説明を行う。図２は、本実施の形態におけるコンテンツ再生システム１ａの概略的構成を示す図である。本実施の形態におけるコンテンツ再生システム１ａは、図２に示すように、携帯電話（外部にある機器、携帯端末）２、画像表示装置（コンテンツ再生装置）３ａ、およびサーバ装置（コンテンツデータ送信装置）５を備えている。
【００５９】
まず、携帯電話２は、画像表示装置３ａに表示されている画像等のコンテンツに対するコメント、タイトルなどの付加情報、または上記付加情報および上記コンテンツのコンテンツデータを識別するためのＩＤなどの識別情報を赤外線による通信によって、画像表示装置３ａに送信するものである。なお、ここで言うところの付加情報はコンテンツのタイトル、コンテンツに対してのコメントなどのテキストデータであってもよいし、コメント、タイトル以外にも例えばＵＲＬへのリンク先、検索情報、コマンド、ＢＧＭなどであってもよい。また、コンテンツとしては、例えば写真、絵、動画像などの画像、および音楽などがある。さらに、ここで言うところの識別情報とはコンテンツを識別するための指標となる情報であって、例えばＩＤなどがある。
【００６０】
続いて、画像表示装置３ａは、サーバ装置５から取得したコンテンツデータを再生し、再生されたコンテンツを表示するものである。また、画像表示装置３ａは、携帯電話２から送信される付加情報を識別情報と関連付けてサーバ装置５に送信したり、携帯電話２から送信される付加情報および識別情報をサーバ装置５に送信したりするものである。なお、画像表示装置３ａとしては、例えば本発明を適用したテレビ、パソコンなどがある。
【００６１】
そして、サーバ装置５は、画像表示装置３ａに対してネットワークを介して通信可能なものであって、画像表示装置３ａにコンテンツデータを送信するものである。また、サーバ装置５は、画像表示装置３ａから送られてきた付加情報と識別情報とに基づいて、付加情報を含むコンテンツデータを新たに作成することもできるものである。なお、サーバ装置５は、例えばインターネット経由でコンテンツ共有サービスを行っているものであってもよく、ホームネットワーク内であればＨＤＤレコーダ、ＮＡＳ、パソコンなどがサーバ装置５になり得る。
【００６２】
次に、図３を用いて携帯電話２と画像表示装置３ａとサーバ装置５との間でのデータの流れについての説明を行う。ここでは、画像表示装置３ａで再生するコンテンツが画像、付加情報がコメント、そして識別情報がＩＤである場合を例にとって説明を行う。
【００６３】
図３に示すように、まず、サーバ装置５から送信された画像データが画像表示装置３ａで再生され、画像表示装置３ａに画像が表示される。続いて、画像表示装置３ａに表示されている画像に関連付けたいコメントのデータを、携帯電話２から画像表示装置３ａに送信する。すると、画像表示装置３ａにおいて当該画像のＩＤとコメントのデータとが関連付けられる。そして、上記関連付けの情報とコメントのデータとが画像表示装置３ａからサーバ装置５に送信されると上記関連付けの情報に基づいて画像のデータとコメントのデータとがともにサーバ装置５で管理される。すなわち、コメントを含む画像データとして管理（コメントを含む画像データが新しく作成）される。続いて、コメントを含む画像データがサーバ装置５から画像表示装置３ａに送信され、画像表示装置３ａにおいてコメントを含む画像のデータが再生されて表示される。なお、図３では、携帯電話２からコメントのデータのみを送信する場合の構成について説明を行ったが、携帯電話２からコメントのデータと画像のＩＤとを送信する場合でも、同様の処理となる。
【００６４】
次に、図４を用いて携帯電話２の構成の概要について説明を行う。図４は本実施の形態における携帯電話２の構成を示す機能ブロック図である。携帯電話２は、図４に示すように、コンテンツ付加情報管理部２０、携帯電話側ＵＩ（ユーザインターフェース）部２１、データ作成部２４、データ記憶部２５、コンテンツ付加情報関連付け制御部２６、送信データ作成部２７、およびデータ送信部２８を備えている。また、携帯電話側ＵＩ部２１は携帯電話側表示部２２および携帯電話側入力操作部２３を備えている。なお、携帯電話は広く既知であるため、携帯電話の機能を実現するためにのみ必要な構成についての記載は省略している。
【００６５】
まず、コンテンツ付加情報管理部２０は、コンテンツに付加する付加情報の種類を後述する携帯電話側表示部２２に表示させるものである。また、コンテンツ付加情報管理部２０は、後述する携帯電話側入力操作部２３から送られてくる、携帯電話側入力操作部２３でどの種類の付加情報が選択されたのかについての情報を受け取るものである。さらに、コンテンツ付加情報管理部２０は、選択された付加情報の種類についての情報をコンテンツ付加情報関連付け制御部２６に送るものである。
【００６６】
続いて、携帯電話側ＵＩ部２１は、ユーザと携帯電話２との間での情報のやり取りを仲介するものである。また、携帯電話側ＵＩ部２１に備えられている携帯電話側表示部２２は、コンテンツ付加情報管理部２０から送られてくるコンテンツに付加する付加情報の種類を表示し、ユーザに対してコンテンツに付加する付加情報の種類の選択を促させるものである。さらに、携帯電話側ＵＩ部２１に備えられている携帯電話側入力操作部２３は、携帯電話側表示部２２に表示されている付加情報の種類に対するユーザの選択を受け付けたり、ユーザからの付加情報の入力を受け付けたりするものである。また、携帯電話側入力操作部２３は、ユーザによって選択された付加情報の種類の情報をコンテンツ付加情報管理部２０に送るものである。なお、携帯電話側入力操作部２３は、例えばテキストデータの付加情報の入力が可能な携帯電話２の文字入力キー、音声データの付加情報の入力が可能な携帯電話２のマイクなどを含んでいる。
【００６７】
ここで、図５（ａ）および図５（ｂ）を用いて携帯電話側表示部２２での表示例を示す。図５（ａ）は、ユーザに対してコンテンツに付加する付加情報の種類の選択を促させる表示の例を示す図である。そして、図５（ｂ）は、ユーザからの付加情報の入力を受け付ける表示の例を示す図である。
【００６８】
一例としては、図５（ａ）に示すように、まずコンテンツにどの種類の付加情報を付加するのかの選択をユーザに促す画面を携帯電話側表示部２２に表示する。そして、携帯電話側表示部２２に表示されている付加情報の種類のユーザによる選択を携帯電話側入力操作部２３を介して受け付けると、上記選択に応じて図５（ｂ）に示すように、携帯電話側表示部２２に選択された付加情報の種類に応じた入力画面を表示する。なお、図５（ａ）では、付加情報としてコメントとタイトルとのいずれかの選択を促す画面を表示する構成になっているが、必ずしもこれに限らない。例えば、前述したＵＲＬ、検索情報、コマンド、ＢＧＭなどの他の付加情報の選択も促す画面を携帯電話側表示部２２に表示する構成であってもよい。また、図５（ｂ）では、入力する付加情報としてコメントを選択した場合の入力画面の一例を示したが、他の付加情報が選択された場合には、選択された付加情報に応じた入力画面を携帯電話側表示部２２に表示することになる。
【００６９】
続いて、データ作成部２４は、携帯電話側入力操作部２３で入力を受け付けたコンテンツに付加する情報のデータ（付加情報）を作成するものである。また、データ作成部２４は、後述するデータ記憶部２５に格納されているデータを付加情報とする場合には、例えばデータ記憶部２５に格納されているデータのコピーをとるなどして、付加情報として用いるデータを作成するものである。また、データ作成部２４は、作成した付加情報をコンテンツ付加情報関連付け制御部２６に送るものである。そして、データ記憶部２５は、携帯電話側入力操作部２３で入力を受け付けたり、他の携帯電話から受信したりした、例えばメールなどのデータを格納するものである。
【００７０】
コンテンツ付加情報関連付け制御部２６は、コンテンツ付加情報管理部２０から送られてくる付加情報の種類についての情報とデータ作成部２４から送られてくる付加情報とに基づいて、付加情報に付加情報の種類の情報を関連付けるものである。また、コンテンツ付加情報関連付け制御部２６は、付加情報の種類の情報を関連付けた付加情報を送信データ作成部２７に送るものである。
【００７１】
続いて、送信データ作成部２７は、コンテンツ付加情報関連付け制御部２６から送られてきた付加情報をデータ送信部２８から赤外線通信で送信するためのデータ（送信データ）に変換するものである。また、送信データ作成部２７は、送信データに変換された付加情報をデータ送信部２８に送るものである。そして、データ送信部２８は、赤外線通信によって送信データに変換された付加情報を画像表示装置３ａに送信するものである。
【００７２】
なお、本実施の形態では、コンテンツに付加する付加情報を１種類だけ選択して入力する構成になっているが、必ずしもこれに限らない。例えば、異なる種類の付加情報を複数種類選択して入力する構成であってもよい。具体的な例としては、タイトルとコメントとを同時に入力し、改行などによって同時に入力した付加情報の種類の識別を可能にする構成にすればよい。
【００７３】
また、本実施の形態では、携帯電話２から画像表示装置３ａに付加情報を変換した送信データを送る構成になっているが、必ずしもこれに限らない。例えば、付加情報とともに、付加情報を付加するコンテンツのコンテンツデータの識別情報を一緒に送信データに変換して、携帯電話２から画像表示装置３ａに送信する構成であってもよい。具体的には、図５（ｃ）に示すように、携帯電話側表示部２２に識別情報である写真（コンテンツ）の番号と付加情報であるコメントとを入力する構成にすればよい。この場合、前述した携帯電話２の各部材間で付加情報に加えて識別情報をやりとりする構成にすればよい。また、図５（ｃ）に示すように識別情報を１つだけ指定して入力する構成に限らず、識別情報を複数指定して入力する構成であってもよい。さらに、識別情報として番号などを直接入力する構成に限らず、リストなどから識別情報を選択して入力する構成であってもよい。
【００７４】
次に、図１を用いて画像表示装置３ａの構成の概要について説明を行う。図１は本実施の形態における画像表示装置３ａの構成を示す機能ブロック図である。画像表示装置３ａは、図１に示すように、データ受信部（第１付加情報取得手段、第２付加情報取得手段）３１、画像表示装置側ＵＩ（ユーザインターフェース）部３２、コンテンツ選択処理部（コンテンツ選択処理手段）３５、コンテンツ付加情報関連付け管理部（第１関連付け管理手段、第２関連付け管理手段）３６、コンテンツ付加情報送信部３７、コンテンツデータ要求処理部３８、コンテンツデータ受信部３９、コンテンツ付加情報処理部４０、およびコンテンツデータ表示処理部４１を備えている。また、画像表示装置側ＵＩ部３２は画像表示装置側表示部（表示手段）３３および画像表示装置側入力操作部３４を備えている。そして、データ受信部３１は第１データ受信部（第１付加情報取得手段）３１ａおよび第２データ受信部（第２付加情報取得手段）３１ｂを備えており、コンテンツ付加情報関連付け管理部３６は、第１コンテンツ付加情報関連付け管理部（第１関連付け管理手段）３６ａおよび第２コンテンツ付加情報関連付け管理部（第２関連付け管理手段）３６ｂを備えている。
【００７５】
まず、データ受信部３１、すなわち第１データ受信部３１ａおよび第２データ受信部３１ｂは、携帯電話２のデータ送信部２８から赤外線通信で送られてきた送信データを受信するものである。また、第１データ受信部３１ａは、付加情報が変換された送信データを受信した場合に、受信した送信データを付加情報に変換してコンテンツ付加情報関連付け管理部３６に送るものである。そして、第２データ受信部３１ｂは、付加情報および識別情報が変換された送信データを受信した場合に、受信した送信データを付加情報および識別情報に変換してコンテンツ付加情報関連付け管理部３６に送るものである。
【００７６】
続いて、画像表示装置側ＵＩ部３２は、ユーザと画像表示装置３ａとの間での情報のやり取りを仲介するものである。また、画像表示装置側ＵＩ部３２に備えられている画像表示装置側表示部３３は、後述するコンテンツデータ表示処理部４１で再生したコンテンツを表示したり、コンテンツを表示することによってユーザに対して付加情報を付加するコンテンツの選択を促させたりするものである。さらに、画像表示装置側ＵＩ部３２に備えられている画像表示装置側入力操作部３４は、付加情報を付加するコンテンツの選択を受け付けるものである。また、画像表示装置側入力操作部３４は、ユーザによって、どのコンテンツが付加情報を付加するコンテンツに選択されたのかといった情報（コンテンツ選択結果）をコンテンツ選択処理部３５に送るものである。さらに、画像表示装置側入力操作部３４は、ユーザからのコンテンツの再生（表示）の要求を受け付けるものである。
【００７７】
ここで、図６（ａ）および図６（ｂ）を用いて、画像表示装置側表示部３３での付加情報を付加するコンテンツの選択画面の表示例を示す。図６（ａ）は、複数のコンテンツのサムネイル一覧を、付加情報を付加するコンテンツの選択画面として表示する一例を示した図である。また、図６（ｂ）は、１つのコンテンツを、付加情報を付加するコンテンツの選択画面として表示する一例を示した図である。
【００７８】
図６（ａ）に示したサムネイル一覧中の複数のコンテンツのうちのいずれかが選択されているときに、携帯電話２からの送信データをデータ受信部３１で受信すると、選択中のコンテンツを、付加情報を付加するコンテンツとして選択されたもの（コンテンツ選択結果）として画像表示装置側入力操作部３４が後述するコンテンツ選択処理部３５に送る。また、サムネイル一覧中の複数のコンテンツのうちのいずれかを選択すると図６ｂ）に示すように１つのコンテンツのみが表示される場合、またはスライドショーなどで図６（ｂ）に示すように１つのコンテンツのみが表示されている場合に、携帯電話２からの送信データをデータ受信部３１で受信すると、表示中のコンテンツが付加情報を付加するコンテンツとして選択される。そして、表示中のコンテンツの識別情報を、コンテンツ選択処理部３５が後述するコンテンツ付加情報関連付け管理部３６に送る。
【００７９】
また、コンテンツ選択処理部３５は、画像表示装置側入力操作部３４から送られてきたコンテンツ選択結果に応じて、付加情報を付加するコンテンツの識別情報を取得し、コンテンツ付加情報関連付け管理部３６に送るものである。他にも、コンテンツ選択処理部３５は、ユーザによる画像表示装置側入力操作部３４を介してのコンテンツの選択に応じて、画像表示装置側表示部３３でのコンテンツの表示を切り替えさせる命令（表示の切り替え命令）をコンテンツデータ表示処理部４１に送るものである。
【００８０】
コンテンツ付加情報関連付け管理部３６は、付加情報と識別情報との関連付けを行うものである。より詳しくは、第１コンテンツ付加情報関連付け管理部３６ａは、第１データ受信部３１ａから送られてくる付加情報とコンテンツ選択処理部３５から送られてくる識別情報とに基づいて、付加情報と識別情報との関連付けを行うものである。そして、第２コンテンツ付加情報関連付け管理部３６ｂは、第２データ受信部３１ｂから送られてくる付加情報および識別情報に基づいて、付加情報と識別情報との関連付けを行うものである。また、コンテンツ付加情報関連付け管理部３６は、付加情報と識別情報との関連付けの情報および付加情報をコンテンツ付加情報送信部３７に送るものである。さらに、コンテンツ付加情報関連付け管理部３６は、付加情報と識別情報との関連付けの情報および付加情報をコンテンツ付加情報送信部３７に送るものである。
【００８１】
コンテンツ付加情報送信部３７は、コンテンツ付加情報関連付け管理部３６から送られてきた上記関連付けの情報および付加情報を、ネットワークを介してサーバ装置５に送信するものである。なお、コンテンツ付加情報送信部３７は、上記関連付けの情報および付加情報を受け取った後、すぐにサーバ装置５に送信する構成であってもよいし、例えば画像表示装置側入力操作部３４への送信要求の入力に応じてサーバ装置５に送信するように、何らかのトリガに応じて送信を開始する構成であってもよい。
【００８２】
続いて、コンテンツデータ要求処理部３８は、画像表示装置側入力操作部３４にユーザからのコンテンツの表示の要求が入力されたときに、表示の要求がされたコンテンツのコンテンツデータの送信の要求をサーバ装置５に行うものである。また、コンテンツデータ受信部３９は、コンテンツデータ要求処理部３８からのコンテンツデータの送信の要求に応じてサーバ装置５から送信されてきたコンテンツデータを受信するものである。さらに、コンテンツデータ受信部３９は、受信したコンテンツデータをコンテンツデータ表示処理部４１に送るものであるとともに、受信したコンテンツデータにタイトル、コメントなどといった簡単なテキストデータ以外の、実行に特別な処理の必要な付加情報が含まれていた場合には、上記特別な処理の必要な付加情報をコンテンツ付加情報処理部４０に送るものである。また、コンテンツ付加情報処理部４０は、コンテンツデータ受信部３９から送られてきた上記特別な処理の必要な付加情報に応じた各処理を実行し、上記各処理の結果をコンテンツデータ表示処理部４１に送るものである。ここで言うところの上記特別な処理の必要な付加情報には、例えばＵＲＬの情報、検索情報、コマンド、ＢＧＭなどがある。そして、上記特別な処理の必要な付加情報に応じた各処理とは、例えばＵＲＬの情報であればＵＲＬへのリンクの処理、検索情報であれば検索結果の情報、コマンドであればコマンドの実行、ＢＧＭであればＢＧＭの再生などになる。
【００８３】
そして、コンテンツデータ表示処理部４１は、画像表示装置側表示部３３でコンテンツの表示を行わせるものである。また、コンテンツデータ表示処理部４１は、付加情報を含むコンテンツデータがコンテンツデータ受信部３９から送られてきた場合には、付加情報とともにコンテンツを画像表示装置側表示部３３に表示させるものである。さらに、コンテンツデータ表示処理部４１は、上記各処理の結果がコンテンツ付加情報処理部４０から送られてきた場合には、上記各処理の結果とともにコンテンツを画像表示装置側表示部３３に表示させるものである。
【００８４】
なお、本実施の形態では、第１データ受信部３１ａと第２データ受信部３１ｂとの２つを備える構成を示しているが、これは機能ブロックとして２つに分割して示しているのであって、必ずしもこれに限定されない。例えば、第１データ受信部３１ａと第２データ受信部３１ｂとがそれぞれ独立の部材として備えられていてもよいし、第１データ受信部３１ａと第２データ受信部３１ｂとが１つの部材として備えられていてもよい。
【００８５】
また、本実施の形態では、第１コンテンツ付加情報関連付け管理部３６ａと第２コンテンツ付加情報関連付け管理部３６ｂとの２つを備える構成を示しているが、これは機能ブロックとして２つに分割して示しているのであって、必ずしもこれに限定されない。例えば、第１コンテンツ付加情報関連付け管理部３６ａと第２コンテンツ付加情報関連付け管理部３６ｂとがそれぞれ独立の部材として備えられていてもよいし、第１コンテンツ付加情報関連付け管理部３６ａと第２コンテンツ付加情報関連付け管理部３６ｂとが１つの部材として備えられていてもよい。
【００８６】
次に、図７を用いてサーバ装置５の構成の概要について説明を行う。図７は本実施の形態におけるサーバ装置５の構成を示す機能ブロック図である。サーバ装置５は、図７に示すように、コンテンツ付加情報受信部（関連付け情報受信手段）５１、コンテンツデータ管理部（第２コンテンツデータ作成手段）５２、コンテンツデータ要求受信部５３、およびコンテンツデータ送信部（コンテンツデータ送信手段）５４を備えている。
【００８７】
まず、コンテンツ付加情報受信部５１は、コンテンツの識別情報と付加情報との関連付けの情報、および付加情報を画像表示装置３ａからネットワークを介して受信するものである。また、コンテンツ付加情報受信部５１は、受信した上記関連付けの情報、および上記付加情報をコンテンツデータ管理部５２に送るものである。
【００８８】
続いて、コンテンツデータ管理部５２は、コンテンツ付加情報受信部５１から送られてきた関連付けの情報および付加情報に基づいて、コンテンツデータと付加情報とをともに管理するものである。すなわち、付加情報を含むコンテンツデータとしてコンテンツデータ管理部５２が管理（付加情報を含むコンテンツデータを新しく作成）する。なお、コンテンツデータに付加情報が関連付けられていないときには、付加情報を含まないコンテンツデータとしてコンテンツデータ管理部５２は管理することになる。また、コンテンツデータ管理部５２は、コンテンツデータ要求受信部５３から送られてきた識別情報に応じたコンテンツデータをコンテンツデータ送信部５４に送るものである。
【００８９】
コンテンツデータ要求受信部５３は、画像表示装置３ａから送信されてくる識別情報を受信するものである。また、コンテンツデータ要求受信部５３は、受信した識別情報をコンテンツデータ管理部５２に送るものである。そして、コンテンツデータ送信部５４は、コンテンツデータ管理部５２から送られてきたコンテンツデータを画像表示装置３ａに送るものである。
【００９０】
ここで、図８（ａ）〜図８（ｃ）を用いて、新しく作成した付加情報を含むコンテンツデータの画像表示装置側表示部３３での表示例についての説明を行う。図８（ａ）〜図８（ｃ）は、付加情報を含むコンテンツデータの画像表示装置側表示部３３での表示例を示した図である。
【００９１】
付加情報を含むコンテンツデータの画像表示装置側表示部３３での表示例としては、図８（ａ）に示すように、複数のコンテンツの各コンテンツに付加情報としてのコメントを表示させる構成であってもよい。また、図８（ｂ）に示すように、複数のコンテンツの各コンテンツに付加情報としてのコメントを表示させるとともに、選択されたコンテンツのコメントのみを画像表示装置側表示部３３中の別の場所に拡大表示する構成であってもよい。さらに、図８（ｃ）に示すように、複数のコンテンツの各コンテンツに付加情報としてのコメントを表示させるとともに、選択されたコンテンツを拡大してコメントも表示する構成であってもよい。なお、図８（ａ）〜図８（ｃ）に示したように、付加情報を含まない（コメントのない）コンテンツでは、付加情報としてのコメントを表示しない。
【００９２】
次に、図９を用いて、携帯電話２での動作フローについて説明を行う。図９は、ユーザによって入力された付加情報を画像表示装置３ａに送信するまでの携帯電話２での動作フローを示すフローチャートである。
【００９３】
まず、ステップＳ２０１では、コンテンツ付加情報管理部２０からの指示によって、携帯電話側表示部２２がユーザに対してコンテンツに付加する付加情報の種類の選択を促させる表示を行う。続いて、ステップＳ２０２では、携帯電話側入力操作部２３がユーザからの付加情報の入力を受け付け、ステップＳ２０３に移る。このとき、携帯電話側入力操作部２３は、携帯電話側入力操作部２３でどの種類の付加情報が選択されたのかについての情報をコンテンツ付加情報管理部２０に送る。
【００９４】
ステップＳ２０３では、データ作成部２４が携帯電話側入力操作部２３で入力を受け付けたコンテンツに付加する情報のデータ（付加情報）を作成した場合（ステップＳ２０３でＹｅｓ）には、ステップＳ２０４に移る。また、データ作成部２４が付加情報を作成していなかった場合（ステップＳ２０３でＮｏ）には、ステップＳ２０２に戻ってフローを繰り返す。
【００９５】
ステップＳ２０４では、コンテンツ付加情報関連付け制御部２６が、コンテンツ付加情報管理部２０から送られてくる付加情報の種類についての情報とデータ作成部２４から送られてくる付加情報とに基づいて、付加情報に付加情報の種類の情報を関連付ける。続いて、ステップＳ２０５では、送信データ作成部２７が、コンテンツ付加情報関連付け制御部２６から送られてきた付加情報をデータ送信部２８から赤外線通信で送信するためのデータに変換（送信データを作成）する。そして、ステップＳ２０６では、データ送信部２８が、赤外線通信によって送信データに変換された付加情報を画像表示装置３ａに送信し、フローを終了する。
【００９６】
次に、図１０を用いて、画像表示装置３ａでの動作フローについて説明を行う。図１０は、サムネイル一覧から選択されたコンテンツのコンテンツデータに付加情報を関連付け、付加情報を関連付けたコンテンツデータを画像表示装置３ａで表示するまでの動作フロー示すフローチャートである。
【００９７】
まず、ステップＳ３０１では、画像表示装置側表示部３３がユーザに対して図６（ａに示したようなコンテンツのサムネイル一覧を表示する。続いて、ステップＳ３０２では、画像表示装置側入力操作部３４がユーザからのコンテンツの選択を受け付ける。そして、ステップＳ３０３では、コンテンツ選択処理部３５が、選択されたコンテンツのコンテンツデータの識別情報を取得し、ステップＳ３０４に移る。
【００９８】
ステップＳ３０４では、データ受信部３１が送信データを受信していた場合（ステップＳ３０４でＹｅｓ）には、ステップＳ３０５に移る。また、データ受信部３１が送信データを受信していなかった場合（ステップＳ３０４でＮｏ）には、ステップＳ３０２に戻ってフローを繰り返す。
【００９９】
ステップＳ３０５では、コンテンツ付加情報関連付け管理部３６が付加情報と識別情報との関連付けを行い、ステップＳ３０６に移る。より詳しくは、第１データ受信部３１ａから送られてくる付加情報とコンテンツ選択処理部３５から送られてくる識別情報とに基づいて、第１コンテンツ付加情報関連付け管理部３６ａが付加情報と識別情報との関連付けを行う。また、第２データ受信部３１ｂから送られてくる付加情報および識別情報に基づいて、第２コンテンツ付加情報関連付け管理部３６ｂは、付加情報と識別情報との関連付けを行う。
【０１００】
ステップＳ３０６では、コンテンツ付加情報送信部３７が関連付けの情報と付加情報とをサーバ装置５に送信する。続いて、ステップＳ３０７では、サーバ装置５で上記関連付けの情報と上記付加情報とに基づいて修正された（新たに修正された）コンテンツデータをコンテンツデータ受信部３９が受信する。そして、コンテンツデータ受信部３９は、新たに修正されたコンテンツデータをコンテンツデータ表示処理部４１に送る。最後に、ステップＳ３０８では、コンテンツデータ表示処理部４１の指示に従って、新たに修正されたコンテンツを画像表示装置側表示部３３が表示してフローを終了する。
【０１０１】
なお、コンテンツデータ受信部３９で受信したコンテンツデータに特別な処理の必要な付加情報が含まれていた場合には、上記特別な処理の必要な付加情報をコンテンツ付加情報処理部４０に送ることになる。そして、コンテンツ付加情報処理部４０で上記特別な処理の必要な付加情報に応じた処理を行ってから、コンテンツデータ表示処理部４１に処理の結果を送ることになる。
【０１０２】
また、本実施の形態では、ステップＳ３０２とステップＳ３０３とをステップＳ３０４より先に行う構成になっているが、必ずしもこれに限らない。例えば、ステップＳ３０２とステップＳ３０３とをステップＳ３０４より後に行う構成であってもよい。この場合には、データ受信部３１で受信した送信データのうちの付加情報をコンテンツデータ表示処理部４１またはコンテンツ付加情報処理部４０に送って、画像表示装置側表示部３３に受信したデータを表示させるなどすればよい。また、ステップＳ３０２とステップＳ３０４とを同時に行う構成であってもよい。
【０１０３】
なお、本実施の形態では、ステップＳ３０２およびステップＳ３０３のフローを行う構成となっているが、ステップＳ３０４でデータ受信部３１が受信した送信データが付加情報と識別情報との両方を含むものであった場合には、ステップＳ３０２およびステップＳ３０３のフローは省略することになる。
【０１０４】
また、本実施の形態では、画像表示装置側表示部３３に表示されるコンテンツのサムネイル一覧から１つのコンテンツが選択される構成となっているが、必ずしもこれに限らない。例えば、画像表示装置側表示部３３に表示されている表示中のコンテンツまたはアルバムがそのまま選択される構成であってもよい。この場合、ステップＳ３０１では、コンテンツのサムネイル一覧を画像表示装置側表示部３３で表示する代わりに、コンテンツまたはアルバムを画像表示装置側表示部３３で表示する構成にし、ステップＳ３０２を省略すればよい。なお、ここで言うところのアルバムとは、複数のコンテンツが１つの単位としてまとまって表示されている状態を表している。そして、アルバムに付加情報を書き込む（含ませる）場合には、コンテンツと同様にしてアルバムに対しての識別情報を用い、コンテンツの場合と同様の処理を行うことによってアルバムに対して付加情報を書き込むことが可能になる。
【０１０５】
次に、図１１（ａ）および図１１（ｂ）を用いて、サーバ装置５での動作フローについて説明を行う。図１１（ａ）は、画像表示装置３ａから送信される関連付けの情報および付加情報に従ってコンテンツデータ管理部５２で管理しているコンテンツデータを修正するまでのサーバ装置５での動作フローを示すフローチャートである。また、図１１（ｂ）は、画像表示装置３ａからの要求に従ってコンテンツデータ管理部５２で管理しているコンテンツデータを画像表示装置３ａに送信するまでのサーバ装置５での動作フローを示すフローチャートである。
【０１０６】
最初に、図１１（ａ）を用いて、画像表示装置３ａから送信される関連付けの情報および付加情報に従ってコンテンツデータ管理部５２で管理しているコンテンツデータを修正するまでの動作フローについての説明を行う。
【０１０７】
まず、ステップＳ５０１では、画像表示装置３ａから送信されてきた関連付けの情報および付加情報をコンテンツ付加情報受信部５１が受信する。続いて、ステップＳ５０２では、受信した関連付けの情報および付加情報をコンテンツ付加情報受信部５１がコンテンツデータ管理部５２に送る。そして、ステップＳ５０３では、コンテンツ付加情報受信部５１から送られてきた関連付けの情報および付加情報に基づいて、コンテンツデータと付加情報とをともにコンテンツデータ管理部５２で管理する。すなわち、付加情報を含むコンテンツデータとしてコンテンツデータ管理部５２が管理（付加情報を含むコンテンツデータを新しく作成）し、フローを終了する。
【０１０８】
続いて、図１１（ｂ）を用いて、画像表示装置３ａからの要求に従ってコンテンツデータ管理部５２で管理しているコンテンツデータを画像表示装置３ａに送信するまでの動作フローについての説明を行う。
【０１０９】
まず、ステップＳ５１１では、画像表示装置３ａから送信されてきた識別情報をコンテンツデータ要求受信部５３が受信する。続いて、ステップＳ５１２では、受信した識別情報をコンテンツデータ要求受信部５３がコンテンツデータ管理部５２に送る。そして、ステップＳ５１３では、コンテンツデータ要求受信部５３から送られてきた識別情報に応じたコンテンツデータを、コンテンツデータ管理部５２がコンテンツデータ送信部５４に送る。最後に、ステップＳ５１４では、コンテンツデータ管理部５２から送られてきたコンテンツデータを、コンテンツデータ送信部５４が画像表示装置３ａに送り、フローを終了する。
【０１１０】
〔実施の形態２〕
本発明の他の実施の形態について図１２ないし図１５に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１１１】
本実施の形態のコンテンツ再生システム１ｂは、前記実施の形態１のコンテンツ再生システム１ａの構成に対して、画像表示装置３ａの代わりに画像表示装置３ｂを備えている点が異なっている。
【０１１２】
最初に、図１２を用いてコンテンツ再生システム１ｂの構成の概要について説明を行う。図１２は、本実施の形態におけるコンテンツ再生システム１ｂの概略的構成を示す図である。本実施の形態におけるコンテンツ再生システム１ｂは、図１２に示すように、携帯電話（外部にある機器、携帯端末）２、画像表示装置（コンテンツ再生装置）３ｂ、およびサーバ装置（コンテンツデータ送信装置）５を備えている。
【０１１３】
画像表示装置３ｂは、サーバ装置５から取得したコンテンツデータを再生し、再生されたコンテンツを表示するものである。また、画像表示装置３ｂは、携帯電話２から送信される付加情報を付加したコンテンツデータを作成し、付加情報が付加したコンテンツを表示するものである。をさらに、画像表示装置３ｂは、携帯電話２から送信される付加情報を識別情報と関連付けてサーバ装置５に送信したり、携帯電話２から送信される付加情報および識別情報をサーバ装置５に送信したりするものである。なお、画像表示装置３ｂとしても、例えば本発明を適用したテレビ、パソコンなどがある。
【０１１４】
次に、図１３を用いて携帯電話２と画像表示装置３ｂとサーバ装置５との間でのデータの流れについての説明を行う。ここでは、画像表示装置３ｂで再生するコンテンツが画像、付加情報がコメント、そして識別情報がＩＤである場合を例にとって説明を行う。
【０１１５】
図１３に示すように、まず、サーバ装置５から送信された画像データが画像表示装置３ｂで再生され、画像表示装置３ｂに画像が表示される。続いて、画像表示装置３ｂに表示されている画像に関連付けたいコメントのデータを、携帯電話２から画像表示装置３ｂに送信する。すると、コメントが付加された画像データが作成され画像表示装置３ｂに表示されるとともに、画像表示装置３ｂにおいて当該画像のＩＤとコメントのデータとが関連付けられる。そして、上記関連付けの情報とコメントのデータとが画像表示装置３ｂからサーバ装置５に送信されると上記関連付けの情報に基づいて画像のデータとコメントのデータとがともにサーバ装置５で管理される。すなわち、コメントを含む画像データとして管理（コメントを含む画像データが新しく作成）される。なお、図１３では、携帯電話２からコメントのデータのみを送信する場合の構成について説明を行ったが、携帯電話２からコメントのデータと画像のＩＤとを送信する場合でも、同様の処理となる。
【０１１６】
次に、図１４を用いて画像表示装置３ｂの構成の概要について説明を行う。図１４は本実施の形態における画像表示装置３ｂの構成を示す機能ブロック図である。画像表示装置３ｂは、図１４に示すように、画像表示装置３ａの各部材に加えてコンテンツデータ作成部（第１コンテンツデータ作成手段）４２を備えている。
【０１１７】
まず、コンテンツデータ作成部４２は、第１データ受信部３１ａから付加情報が送られてきた場合には、上記付加情報とコンテンツ選択処理部３５から送られてくる識別情報とに基づいて、付加情報を含むコンテンツデータの作成を行うものである。また、コンテンツデータ作成部４２は、第２データ受信部３１ｂから付加情報および識別情報が送られてきた場合には、上記付加情報および識別情報に基づいて、付加情報を含むコンテンツデータの作成を行うものである。さらに、コンテンツデータ作成部４２は、作成したコンテンツデータにタイトル、コメントなどといった簡単なテキストデータ以外の、実行に特別な処理の必要な付加情報が含まれていた場合には、上記特別な処理の必要な付加情報をコンテンツ付加情報処理部４０に送るものである。なお、コンテンツデータ作成部４２は、コンテンツ付加情報関連付け管理部３６にコンテンツ選択処理部３５から送られてきた識別情報を送る構成であっても、送らない構成であってもよい。そして、コンテンツデータ作成部４２がコンテンツ付加情報関連付け管理部３６に識別情報を送らない場合には、コンテンツ選択処理部３５からコンテンツ付加情報関連付け管理部３６に識別情報を送る構成にすればよい。また、コンテンツデータ作成部４２がコンテンツ付加情報関連付け管理部３６に識別情報を送る場合には、第１コンテンツ付加情報関連付け管理部３６ａが、第１データ受信部３１ａから送られてくる付加情報とコンテンツデータ作成部４２から送られてくる識別情報とに基づいて、付加情報と識別情報との関連付けを行うことになる。
【０１１８】
続いて、コンテンツ付加情報処理部４０は、コンテンツデータ作成部４２から送られてきた上記特別な処理の必要な付加情報に応じた各処理を実行し、上記各処理の結果をコンテンツデータ表示処理部４１に送るものである。ここで言うところの上記特別な処理の必要な付加情報には、例えばＵＲＬの情報、検索情報、コマンド、ＢＧＭなどがある。そして、上記特別な処理の必要な付加情報に応じた各処理とは、例えばＵＲＬの情報であればＵＲＬへのリンクの処理、検索情報であれば検索結果の情報、コマンドであればコマンドの実行、ＢＧＭであればＢＧＭの再生などになる。
【０１１９】
そして、コンテンツデータ表示処理部４１は、画像表示装置側表示部３３でコンテンツの表示を行わせるものである。また、コンテンツデータ表示処理部４１は、付加情報を含むコンテンツデータがコンテンツデータ作成部４２から送られてきた場合には、付加情報とともにコンテンツを画像表示装置側表示部３３に表示させるものである。さらに、コンテンツデータ表示処理部４１は、上記各処理の結果がコンテンツ付加情報処理部４０から送られてきた場合には、上記各処理の結果とともにコンテンツを画像表示装置側表示部３３に表示させるものである。
【０１２０】
次に、図１５を用いて、画像表示装置３ｂでの動作フローについて説明を行う。図１５は、サムネイル一覧から選択されたコンテンツのコンテンツデータに付加情報を関連付け、付加情報を関連付けたコンテンツデータを画像表示装置３ｂで表示するまでの動作フロー示すフローチャートである。
【０１２１】
まず、ステップＳ３１１では、画像表示装置側表示部３３がユーザに対して図６（ａに示したようなコンテンツのサムネイル一覧を表示する。続いて、ステップＳ３１２では、画像表示装置側入力操作部３４がユーザからのコンテンツの選択を受け付ける。そして、ステップＳ３１３では、コンテンツ選択処理部３５が、選択されたコンテンツのコンテンツデータの識別情報を取得し、ステップＳ３１４に移る。
【０１２２】
ステップＳ３１４では、データ受信部３１が送信データを受信していた場合（ステップＳ３１４でＹｅｓ）には、ステップＳ３１５に移る。また、データ受信部３１が送信データを受信していなかった場合（ステップＳ３１４でＮｏ）には、ステップＳ３１２に戻ってフローを繰り返す。
【０１２３】
ステップＳ３１５では、コンテンツ付加情報関連付け管理部３６が付加情報と識別情報との関連付けを行うとともに、コンテンツデータ作成部４２が付加情報を含むコンテンツデータを作成し、ステップＳ３１６に移る。より詳しくは、第１データ受信部３１ａから付加情報が送られてきた場合には、上記付加情報とコンテンツ選択処理部３５から送られてきた識別情報とに基づいて、付加情報を含むコンテンツデータの作成をコンテンツデータ作成部４２が行う。また、第２データ受信部３１ｂから付加情報および識別情報が送られてくる場合には、第２データ受信部３１ｂから送られてきた付加情報および識別情報に基づいて、付加情報を含むコンテンツデータの作成をコンテンツデータ作成部４２が行う。さらに、第１データ受信部３１ａから送られてくる付加情報とコンテンツ選択処理部３５から送られてくる識別情報とに基づいて、第１コンテンツ付加情報関連付け管理部３６ａが付加情報と識別情報との関連付けを行う。また、第２データ受信部３１ｂから送られてくる付加情報および識別情報に基づいて、第２コンテンツ付加情報関連付け管理部３６ｂは、付加情報と識別情報との関連付けを行う。なお、ステップＳ３１５では、コンテンツデータ作成部４２が作成した付加情報を含むコンテンツデータをコンテンツデータ表示処理部４１に送る。そして、ステップＳ３１６では、コンテンツデータ表示処理部４１の指示に従って、付加情報を含むコンテンツを画像表示装置側表示部３３が表示する。
【０１２４】
続いて、ステップＳ３１７では、コンテンツ付加情報送信部３７からサーバ装置５に関連付けの情報および付加情報が送信可能であった場合（ステップＳ３１７でＹｅｓ）には、ステップＳ３１８に移る。また、コンテンツ付加情報送信部３７からサーバ装置５に関連付けの情報および付加情報が送信可能でなかった場合（ステップＳ３１７でＮｏ）には、ステップＳ３１２に戻ってフローを繰り返す。なお、関連付けの情報および付加情報が送信可能か否かを決めるトリガとしては、例えば画像表示装置側入力操作部３４またはデータ受信部３１を介して携帯電話２から入力されるユーザからの送信の命令などがある。
【０１２５】
ステップＳ３１８では、コンテンツ付加情報送信部３７が関連付けの情報と付加情報とをサーバ装置５に送信示してフローを終了する。
【０１２６】
なお、コンテンツデータ作成部４２で作成したコンテンツデータに特別な処理の必要な付加情報が含まれていた場合には、上記特別な処理の必要な付加情報をコンテンツ付加情報処理部４０に送ることになる。そして、コンテンツ付加情報処理部４０で上記特別な処理の必要な付加情報に応じた処理を行ってから、コンテンツデータ表示処理部４１に処理の結果を送ることになる。
【０１２７】
また、本実施の形態では、ステップＳ３１２とステップＳ３１３とをステップＳ３１４より先に行う構成になっているが、必ずしもこれに限らない。例えば、ステップＳ３１２とステップＳ３１３とをステップＳ３１４より後に行う構成であってもよい。この場合には、データ受信部３１で受信した送信データのうちの付加情報をコンテンツデータ表示処理部４１またはコンテンツ付加情報処理部４０に送って、画像表示装置側表示部３３に受信したデータを表示させるなどすればよい。また、ステップＳ３１２とステップＳ３１４とを同時に行う構成であってもよい。
【０１２８】
なお、本実施の形態では、ステップＳ３１２およびステップＳ３１３のフローを行う構成となっているが、ステップＳ３１４でデータ受信部３１が受信した送信データが付加情報と識別情報との両方を含むものであった場合には、ステップＳ３１２およびステップＳ３１３のフローは省略することになる。
【０１２９】
また、本実施の形態では、画像表示装置側表示部３３に表示されるコンテンツのサムネイル一覧から１つのコンテンツが選択される構成となっているが、必ずしもこれに限らない。例えば、画像表示装置側表示部３３に表示されている表示中のコンテンツまたはアルバムがそのまま選択される構成であってもよい。この場合、ステップＳ３１１では、コンテンツのサムネイル一覧を画像表示装置側表示部３３で表示する代わりに、コンテンツまたはアルバムを画像表示装置側表示部３３で表示する構成にし、ステップＳ３１２を省略すればよい。
【０１３０】
なお、本実施の形態では、ステップＳ３１７を行う構成になっているが、必ずしもこれに限らない。例えば、コンテンツ付加情報送信部３７に送られてくる関連付けの情報および付加情報を、コンテンツ付加情報送信部３７に送られてくるごとに１回ずつサーバ装置５に送る場合には、ステップＳ３１７を行わない構成であってもよい。
【０１３１】
また、本実施の形態では、コンテンツに付加情報を書き込む構成について主に説明を行ったが、付加情報が含まれるコンテンツに新たに付加情報を上書きしたり、追記を行ったりすることも可能である。まず、付加情報が含まれるコンテンツに新たに付加情報を上書きする場合には、付加情報が含まれていないコンテンツに付加情報を書き込むのと同様の処理によって上書きすることが可能である。また、付加情報が含まれるコンテンツに新たに付加情報を追記する場合には、例えば、コンテンツデータ受信部３９からコンテンツ付加情報関連付け管理部３６が１回前に書き込まれた付加情報を取得し、コンテンツ付加情報関連付け管理部３６で１回前に書き込まれた付加情報と新しく書き込む付加情報とを識別情報と関連付けることによって付加情報が含まれるコンテンツに新たに付加情報を追記してもよい。また、例えば、コンテンツデータ受信部３９からコンテンツデータ作成部４２が１回前に書き込まれた付加情報を取得し、コンテンツデータ作成部４２で１回前に書き込まれた付加情報と新しく書き込む付加情報と識別情報とに基づいて、付加情報が含まれるコンテンツに新たに付加情報を追記したコンテンツデータを作成してもよい。
【０１３２】
さらに、付加情報を含むコンテンツから付加情報を消去することも可能である。この場合、表示を行わない付加情報（コメントの場合には空白）を付加情報が含まれていないコンテンツに付加情報を書き込むのと同様の処理により上書きすることによって、付加情報を含むコンテンツから付加情報を消去することが可能である。また、データ受信部３１で付加情報の代わりに付加情報を消去するデータ（消去指示データ）を受け取り、上記消去指示データと選択されたコンテンツのコンテンツデータの識別情報とに基づいて、コンテンツ付加情報関連付け管理部３６が、選択されたコンテンツの識別情報と付加情報との関連付けの解消を行ったり、コンテンツデータ作成部４２が、付加情報を含まないコンテンツデータを作成したりすることによって、付加情報を含むコンテンツから付加情報を消去することが可能である。
【０１３３】
なお、本実施の形態では、画像表示装置側入力操作部３４でユーザからの付加情報を付加するコンテンツの選択を受け付ける構成になっているが、画像表示装置側入力操作部３４への入力は、リモコンなどからの入力であってもよい。なお、携帯電話２中に付加情報を付加するコンテンツの選択を行うことを可能にする部材を備えている場合でも、携帯電話２からの付加情報、または付加情報および識別情報を変換した送信データは、画像表示装置３ａ・３ｂのデータ受信部３１で行い、携帯電話２から画像表示装置３ａ・３ｂに送信されるコンテンツの選択の操作に関わるデータは、画像表示装置側入力操作部３４で受け付けられるものとする。
【０１３４】
また、本実施の形態では、付加情報を付加するコンテンツが選択された後に、携帯電話２からの送信データをデータ受信部３１が受信し、付加情報と識別情報とを関連付けたり、付加情報と識別情報とに基づいて付加情報を含むコンテンツデータを作成したりする構成になっているが、必ずしもこれに限らない。例えば、携帯電話２からの送信データをデータ受信部３１が受信した後に、付加情報を付加するコンテンツの選択を画像表示装置側入力操作部３４で受け付けることによって、付加情報と識別情報とを関連付けたり、付加情報と識別情報とに基づいて付加情報を含むコンテンツデータを作成したりする構成であってもよい。
【０１３５】
なお、本実施の形態では、画像表示装置３ａ・３ｂが携帯電話２から付加情報を送信データとして受信する構成になっているが、必ずしもこれに限らない。例えば、画像表示装置３ａ・３ｂにユーザからの付加情報または付加情報および識別情報の入力を受け付ける部材を備え、上記部材で受け付けた付加情報をデータ受信部３１に送る構成であってもよい。
【０１３６】
また、本実施の形態では、携帯電話２と画像表示装置３ａ・３ｂとの間で赤外線による無線通信を行う構成になっているが、必ずしもこれに限らない。例えば、有線による通信であってもよい。しかしながら、有線による通信に比べて、無線による通信の方がケーブルなどの邪魔になるものがなく、ユーザにとってのコンテンツ再生システム１ａの利便性を向上させることができるので、無線による通信の方が好ましい。さらに、携帯電話２と画像表示装置３ａ・３ｂとの間での通信にＩｒＳｉｍｐｌｅを用いることによって、高精細な画像データなどを高速で通信することが可能になるとともに、指向性の高い無線通信をすることが可能になるので、携帯電話２と画像表示装置３ａ・３ｂとの間での通信はＩｒＳｉｍｐｌｅによる通信であることがより好ましい。
【０１３７】
なお、本実施の形態では、携帯電話２を用いる構成になっているが、必ずしもこれに限らない。例えば、図４で示した各部材を備えた、画像表示装置３ａ・３ｂの外部の機器であればよく、例えば図４で示した各部材を備えたテレビのリモコンであってもよい。また、携帯電話以外のＰＤＡなどの携帯端末であってもよい。
【０１３８】
また、本実施の形態では、コンテンツ付加情報送信部３７から関連付けの情報と付加情報とを送信する構成になっているが、上記関連付けの情報と上記付加情報とを組みにして同時に送信する場合には、上記関連付けの情報が識別情報のみであってもよい。
【０１３９】
最後に、携帯電話２、画像表示装置３ａ・３ｂ、およびサーバ装置５の各ブロック、特にコンテンツ付加情報管理部２０、携帯電話側ＵＩ部２１、携帯電話側表示部２２、携帯電話側入力操作部２３、データ作成部２４、コンテンツ付加情報関連付け制御部２６、送信データ作成部２７、データ送信部２８、データ受信部３１、第１データ受信部３１ａ、第２データ受信部３１ｂ、画像表示装置側ＵＩ部３２、画像表示装置側表示部３３、画像表示装置側入力操作部３４、コンテンツ選択処理部３５、コンテンツ付加情報関連付け管理部３６、第１コンテンツ付加情報関連付け管理部３６ａ、第２コンテンツ付加情報関連付け管理部３６ｂ、コンテンツ付加情報送信部３７、コンテンツデータ要求処理部３８、コンテンツデータ受信部３９、コンテンツ付加情報処理部４０、コンテンツデータ表示処理部４１、コンテンツデータ作成部４２、コンテンツ付加情報受信部５１、コンテンツデータ管理部５２、コンテンツデータ要求受信部５３、およびコンテンツデータ送信部５４は、ハードウェアロジックによって構成してもよいし、次のようにＣＰＵを用いてソフトウェアによって実現してもよい。
【０１４０】
すなわち、携帯電話２、画像表示装置３ａ・３ｂ、およびサーバ装置５は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話２、画像表示装置３ａ・３ｂ、およびサーバ装置５の制御プログラムのプログラムコード（実行形式プログラム、中間コードプログラム、ソースプログラム）をコンピュータで読取り可能に記録した記録媒体を、携帯電話２、画像表示装置３ａ・３ｂ、およびサーバ装置５に供給し、そのコンピュータ（またはＣＰＵやＭＰＵ）が記録媒体に記録されているプログラムコードを読み出し実行することによっても、達成可能である。
【０１４１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４２】
また、携帯電話２、画像表示装置３ａ・３ｂ、およびサーバ装置５を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４３】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４４】
以上のように、本発明のコンテンツ再生装置、コンテンツデータ送信装置、その制御プログラムおよび該制御プログラムを記録したコンピュータ読取り可能な記録媒体、コンテンツ再生システムならびに制御方法は、トラフィックをより小さく抑えながらもコメント等の付加情報をコンテンツデータに関連付けることを可能にする。したがって、本発明は、表示するべき画像を画像データ提供装置から取得して画像表示装置に表示する技術に関連する産業分野に好適に用いることができる。
【図面の簡単な説明】
【０１４５】
【図１】本発明における画像表示装置の実施の一形態を示す機能ブロック図である。
【図２】本発明におけるコンテンツ再生システムの実施の一形態を示す概略的構成図である。
【図３】本発明における携帯電話と画像表示装置とサーバ装置との間でのデータの流れを示す図である。
【図４】本発明における携帯電話の概略的構成を示す機能ブロック図である。
【図５】（ａ）は、ユーザに対してコンテンツに付加する付加情報の種類の選択を促させる表示の例を示す図であって、（ｂ）は、ユーザからの付加情報の入力を受け付ける表示の例を示す図であって、（ｃ）は、ユーザに対して付加情報と識別情報との入力を促させる入力画面の一例を示した図である。
【図６】（ａ）は、複数のコンテンツのサムネイル一覧を選択画面として表示する一例を示した図であって、（ｂ）は、１つのコンテンツを選択画面として表示する一例を示した図である。
【図７】本発明におけるサーバ装置の概略的構成を示す機能ブロック図である。
【図８】付加情報を含むコンテンツデータの画像表示装置側表示部での表示例を示した図である。
【図９】上記携帯電話での動作フローを示すフローチャートである。
【図１０】上記画像表示装置での動作フローを示すフローチャートである。
【図１１】（ａ）および（ｂ）は、上記サーバ装置での動作フローを示すフローチャートである。
【図１２】本発明におけるコンテンツ再生システムの他の実施の一形態を示す概略的構成図である。
【図１３】本発明における携帯電話と画像表示装置とサーバ装置との間でのデータの流れを示す図である。
【図１４】本発明における画像表示装置の他の実施の一形態を示す機能ブロック図である。
【図１５】上記画像表示装置での動作フローを示すフローチャートである。
【符号の説明】
【０１４６】
１ａ  コンテンツ再生システム
１ａ  コンテンツ再生システム
２    携帯電話（外部にある機器、携帯端末）
３ａ  画像表示装置（コンテンツ再生装置）
３ｂ  画像表示装置（コンテンツ再生装置）
５    サーバ装置（コンテンツデータ送信装置）
２０    コンテンツ付加情報管理部
２１    携帯電話側ＵＩ部
２２    携帯電話側表示部
２３    携帯電話側入力操作部
２４    データ作成部
２５    データ記憶部
２６    コンテンツ付加情報関連付け制御部
２７    送信データ作成部
２８    データ送信部
３１    データ受信部（第１付加情報取得手段、第２付加情報取得手段）
３１ａ  第１データ受信部（第１付加情報取得手段）
３１ｂ  第２データ受信部（第２付加情報取得手段）
３２    画像表示装置側ＵＩ部
３３    画像表示装置側表示部（表示手段）
３４    画像表示装置側入力操作部
３５    コンテンツ選択処理部（コンテンツ選択処理手段）
３６    コンテンツ付加情報関連付け管理部（第１関連付け管理手段、第２関連付け管理手段）
３６ａ  第１コンテンツ付加情報関連付け管理部（第１関連付け管理手段）
３６ｂ  第２コンテンツ付加情報関連付け管理部（第２関連付け管理手段）
３７    コンテンツ付加情報送信部（関連付け情報送信手段）
３８    コンテンツデータ要求処理部
３９    コンテンツデータ受信部
４０    コンテンツ付加情報処理部
４１    コンテンツデータ表示処理部
４２    コンテンツデータ作成部（第１コンテンツデータ作成手段）
５１    コンテンツ付加情報受信部（関連付け情報受信手段）
５２    コンテンツデータ管理部（第２コンテンツデータ作成手段）
５３    コンテンツデータ要求受信部
５４    コンテンツデータ送信部
【図１】
2008065484.tif 000003
【図２】
2008065484.tif 000004
【図３】
2008065484.tif 000005
【図４】
2008065484.tif 000006
【図５】
2008065484.tif 000007
【図６】
2008065484.tif 000008
【図７】
2008065484.tif 000009
【図８】
2008065484.tif 000010
【図９】
2008065484.tif 000011
【図１０】
2008065484.tif 000012
【図１１】
2008065484.tif 000013
【図１２】
2008065484.tif 000014
【図１３】
2008065484.tif 000015
【図１４】
2008065484.tif 000016
【図１５】
2008065484.tif 000017